(57)【要約】【課題】映像データを連続再生する際、ロック状態に設定されたことで正常に読み出せない映像データがあっても連続再生を継続し、破壊された映像データである場合に連続再生を停止できるようにする。【解決手段】記録媒体から読み出した映像データが再生可能な映像データであるか判定する再生可否判定部と、再生が不可能であると判定された映像データがロック対象の映像データであるか判定する保護映像判定部と、映像データの再生を制御する映像再生部とを有し、映像再生部は、映像データを連続再生する際、再生が不可能であると判定された映像データについては、ロック対象であると判定された場合には映像データではなく代替データを再生し、ロック対象ではないと判定された場合には映像データ及び代替データの再生を行わないように制御する。【選択図】図１
2020191588.tif 000002
【特許請求の範囲】
【請求項１】
記録媒体から読み出した映像データが再生可能な映像データであるか否かを判定する第１の判定手段と、
前記第１の判定手段により再生が不可能であると判定された映像データが、前記記録媒体におけるロック対象の映像データであるか否かを判定する第２の判定手段と、
前記記録媒体に記録された複数の映像データを連続して再生する際、前記第１の判定手段により再生が不可能であると判定された映像データについては、前記第２の判定手段により前記ロック対象であると判定された場合には前記映像データではなく代替データを再生し、前記第２の判定手段により前記ロック対象ではないと判定された場合には前記映像データ及び前記代替データの再生を行わないように制御する制御手段とを有することを特徴とする再生装置。
【請求項２】
前記制御手段は、前記第２の判定手段により前記ロック対象であると判定された映像データの数を示す情報を含む前記代替データを再生するように制御することを特徴とする請求項１記載の再生装置。
【請求項３】
前記第２の判定手段により前記ロック対象であると判定された映像データの数をカウントするカウント手段を有し、
前記カウント手段は、前記複数の映像データの所定の順序において連続する前記ロック対象の映像データをカウントし、
前記制御手段は、前記カウント手段によりカウントした前記ロック対象の映像データの数を示す情報を含む前記代替データを再生するように制御することを特徴とする請求項２記載の再生装置。
【請求項４】
前記制御手段は、再生に係る処理を開始してから前記第１の判定手段により再生可能であると判定された映像データを１つも再生していない場合には、前記第２の判定手段により前記ロック対象であると判定された場合でも前記代替データの再生を行わないように制御することを特徴とする請求項１〜３の何れか１項に記載の再生装置。
【請求項５】
前記制御手段は、前記第１の判定手段により再生可能であると判定された映像データを少なくとも１つ再生した後に前記代替データの再生を行うように制御することを特徴とする請求項１〜３の何れか１項に記載の再生装置。
【請求項６】
前記第１の判定手段は、前記記録媒体から読み出した映像データが所定のフォーマットに従っていなければ再生が不可能であると判定することを特徴とする請求項１〜５の何れか１項に記載の再生装置。
【請求項７】
前記第２の判定手段は、前記記録媒体から読み出した映像データにおいて、同一のデータ又は所定のパターンのデータが一定量以上連続している場合に前記ロック対象の映像データであると判定することを特徴とする請求項１〜６の何れか１項に記載の再生装置。
【請求項８】
記録媒体から読み出した映像データが再生可能な映像データであるか否かを判定する第１の判定工程と、
前記第１の判定工程にて再生が不可能であると判定された映像データが、前記記録媒体におけるロック対象の映像データであるか否かを判定する第２の判定工程と、
前記記録媒体に記録された複数の映像データを連続して再生する際、前記第１の判定工程にて再生が不可能であると判定された映像データについては、前記第２の判定工程にて前記ロック対象であると判定された場合には前記映像データではなく代替データを再生し、前記第２の判定工程にて前記ロック対象ではないと判定された場合には前記映像データ及び前記代替データの再生を行わないように制御する制御工程とを有することを特徴とする再生方法。
【請求項９】
記録媒体から読み出した映像データが再生可能な映像データであるか否かを判定する第１の判定ステップと、
前記第１の判定ステップにて再生が不可能であると判定された映像データが、前記記録媒体におけるロック対象の映像データであるか否かを判定する第２の判定ステップと、
前記記録媒体に記録された複数の映像データを連続して再生する際、前記第１の判定ステップにて再生が不可能であると判定された映像データについては、前記第２の判定ステップにて前記ロック対象であると判定された場合には前記映像データではなく代替データを再生し、前記第２の判定ステップにて前記ロック対象ではないと判定された場合には前記映像データ及び前記代替データの再生を行わないように制御する制御ステップとをコンピュータに実行させるためのプログラム。
【発明の詳細な説明】
【技術分野】
【０００１】
本発明は、再生装置、再生方法、及びプログラムに関する。
【背景技術】
【０００２】
ビデオカメラ等の映像記録再生装置では、持ち運び可能なメモリカード等の記録媒体に映像データを記録する。そのため、記録媒体の紛失や盗難により、外部へ映像データが流出するリスクが存在する。この映像データの流出の対策として、記録媒体をロック状態に設定することにより、記録媒体からのデータ読み出しを無効化する技術が注目されている（特許文献１）。
【０００３】
この技術を適用した記録媒体のセキュリティロックの設定や解除は、例えばユーザーがスマートフォンに内蔵されたＮＦＣ（Near Field Communication）と、インストールされたソフトウェアを使用することで行う。ロック状態に設定した記録媒体は、撮像機器に接続しマウントされてからアンマウントされるまでの間であれば、新たに書き込まれた映像データを正常に読み出すことが可能である。しかし、記録媒体が撮像機器からアンマウントされると、先程書き込んだ映像データの読み出しでは例えば常に０ｘＦＦの値が出力され、ロック状態が解除されるまでは映像データを正常に読み出すことができない。
【０００４】
記録媒体から正常に読み出すことができない映像データは、表示機器で正常に表示することができない。この対策として、読み込んだ映像データのフォーマットが解釈不可能である場合には映像を表示させない技術が知られている（特許文献２）。このような技術によれば、ロック状態に設定された記録媒体に記録された映像データは、再生装置で表示させない処理を行うことが可能である。
【先行技術文献】
【特許文献】
【０００５】
【特許文献１】特開２０１７−１４６９８９号公報
【特許文献２】特開２００８−２５８６９９号公報
【発明の概要】
【発明が解決しようとする課題】
【０００６】
記録媒体等に記録された複数の映像データを連続して再生するスライドショー機能を有する再生装置がある。スライドショー機能を有する再生装置において、記録媒体等への映像データの保存に失敗する等して映像データが破壊されてしまった場合、その旨をユーザーに通知するために映像データの連続再生を停止させる機能を有する再生装置もある。ここで、例えばロック状態に設定された記録媒体に記録された映像データを連続再生する際、記録媒体から正常に読み出せない映像データは破壊された映像データと認識されてしまう。その結果、セキュリティ上保護されているだけで、壊れているわけではない映像データにより、連続再生の動作が止まってしまうことが考えられる。
【０００７】
また、特許文献２に記載の技術によれば、ロック状態に設定されたことで正常に読み出せない映像データであっても、壊れた映像データであっても、同様に映像データを再生させないことになる。この場合には、破壊された映像データがあっても、その旨をユーザーに通知することができない。
【０００８】
本発明は、このような事情に鑑みてなされたものであり、ロック状態に設定されたことで正常に読み出せない映像データがあっても連続再生を継続し、破壊された映像データである場合に連続再生を停止できるようにすることを目的とする。
【課題を解決するための手段】
【０００９】
本発明に係る再生装置は、記録媒体から読み出した映像データが再生可能な映像データであるか否かを判定する第１の判定手段と、前記第１の判定手段により再生が不可能であると判定された映像データが、前記記録媒体におけるロック対象の映像データであるか否かを判定する第２の判定手段と、前記記録媒体に記録された複数の映像データを連続して再生する際、前記第１の判定手段により再生が不可能であると判定された映像データについては、前記第２の判定手段により前記ロック対象であると判定された場合には前記映像データではなく代替データを再生し、前記第２の判定手段により前記ロック対象ではないと判定された場合には前記映像データ及び前記代替データの再生を行わないように制御する制御手段とを有することを特徴とする。
【発明の効果】
【００１０】
本発明によれば、記録媒体から正常に読み出せない映像データがあっても、ロック状態に設定されたことで正常に読み出せない映像データである場合には連続再生を継続させ、破壊された映像データである場合には連続再生を停止させることが可能となる。
【図面の簡単な説明】
【００１１】
【図１】本発明の実施形態における再生装置の構成例を示す図である。
【図２】第１の実施形態における再生装置の動作例を説明する図である。
【図３】映像データのフォーマットの例を示す図である。
【図４】第１の実施形態における再生装置の動作例を示すフローチャートである。
【図５】第２の実施形態における再生装置の動作例を説明する図である。
【図６】第２の実施形態における再生装置の動作例を示すフローチャートである。
【図７】本実施形態における再生装置を実現可能なコンピュータ機能を示す図である。
【発明を実施するための形態】
【００１２】
以下、本発明の実施形態を図面に基づいて説明する。
【００１３】
（第１の実施形態）
本発明の第１の実施形態について説明する。
図１は、本発明の一実施形態における再生装置１００の構成例を示すブロック図である。本実施形態における再生装置１００は、ドライブユニット１０２、読出制御部１０３、メモリ１０４、再生可否判定部１０５、映像再生部１０６、表示部１０７、保護映像判定部１０８、及び代替映像生成部１０９を有する。
【００１４】
再生装置１００は、記録媒体１００に記録された映像データを再生する。再生装置１００は、いわゆるスライドショー機能のように、記録媒体１００に記録された複数の映像データを連続して再生する機能を有する。第１の実施形態では、再生装置１００は、記録媒体１００に記録されている複数の映像データを連続再生する際、記録媒体１００から正常な映像データを読み出せなかった場合、次のように動作する。再生装置１００は、ロック状態に設定されたことで正常に読み出せない映像データである場合には、その映像データの数（件数）を表示して映像データの連続再生を継続し、破壊された映像データである場合には映像データの連続再生を停止する。
【００１５】
例えば、図２（Ａ）に示すような読み出し映像群２００の映像データが記録媒体１００に記録されているとする。読み出し映像群２００には、正常に読み出すことが可能な映像データである映像１〜５が含まれている。また、読み出し映像群２００には、ロック対象となり読み出すことができない映像データであるロック１〜９、データフォーマットの破壊等により正常に読み出すことができない破壊されたデータ（破壊データ）が含まれている。映像データは、図２（Ａ）において矢印で示すように、映像１、ロック１、ロック２、ロック３、ロック４、ロック５、ロック６、ロック７、ロック８、ロック９、映像２、映像３、破壊データ、映像４、映像５の順で読み出しが行われるものとする。
【００１６】
ここで、例えば記録媒体から正常な映像データを読み出せなかった場合に映像データの連続再生を停止する再生装置では、映像１を再生した後に、ロック１の映像データが読み出せないため、そこで連続再生を停止してしまう。ロック１の映像データは、ロック状態に設定されたことで正常に読み出せない映像データであり、破壊された映像データではないので、映像データの連続再生が停止してしまうことは望ましくない動作である。
【００１７】
また、例えば記録媒体から正常な映像データを読み出せなかった場合に映像を表示させない再生装置では、記録媒体から正常な映像データが読み出せる映像１、映像２、映像３、映像４、映像５の順で連続再生される。この場合、映像データの連続再生が破壊データによって停止させることがないので、破壊データが含まれているにもかかわらず、破壊データの存在を認識させるためのユーザー通知を実現することができない。
【００１８】
それに対して、第１の実施形態における再生装置１００では、図２（Ｂ）に再生イメージ２０１として一例を示すように、映像１、代替映像２０２、映像２、映像３の順で映像表示を行い、破壊データが読み出せないため、そこで連続再生を停止する。代替映像２０２は、映像１と映像２との間においてロック対象となり読み出すことができない映像データの数（件数）を示す機能を有しており、この例では「ロック９件」であることを表示している。
【００１９】
このように第１の実施形態における再生装置１００は、映像データを正常に読み出せなかった場合、ロック対象であるために読み出すことができないのか、破壊されたデータであるために読み出すことができないのかを判別して再生の方法の切り替えを行う。そして、再生装置１００は、ロック状態に設定されたことで正常に読み出せない映像データである場合にはロック対象となっている数（件数）を表示して映像データの連続再生を継続させ、破壊された映像データである場合には映像データの連続再生を停止させる。
【００２０】
図１に戻り、記録媒体１０１には映像データが記録されている。ドライブユニット１０２は、記録媒体１０１から映像データを取得し、読出制御部１０３は、ドライブユニット１０２により取得した映像データを復号化する。復号された映像データは、メモリ１０４に格納される。再生可否判定部１０５は、メモリ１０４に格納された映像データを解析する。再生可否判定部１０５は、メモリ１０４に格納された映像データが正しく再生可能な映像データであるか否かを判定する。映像データが正しく再生可能であるか判定する方法は、様々な技術で実現されているので、どの技術で実現してもよい。
【００２１】
例えば、再生可否判定部１０５は、所定のフォーマットに従って映像データが構成されていない場合、その映像データの再生が不可能であると判定する。映像データのフォーマットは種々あるが、図３にその一例を示す。図３に例示するフォーマット３００では、映像データは、ヘッダ３１０、動画データ３２０、音声データ３３０、及びチェックサム３４０を有する。
【００２２】
ヘッダ３１０は、ヘッダサイズ３１１、Ｖｅｒｓｉｏｎ情報３１２、サムネイルデータ３１３、及びデータサイズ等の他データ３１４を有する。他データ３１４には、例えば動画データ３２０や音声データ３３０のサイズ、及びそれらのオフセットアドレス等を含む。動画データ３２０は実際の映像情報であり、ヘッダ先頭からのオフセットアドレス値から動画データが記録されている領域のメモリ上の先頭アドレスを取得することが可能となっている。音声データ３３０も同様にヘッダ先頭からのオフセットアドレス値から音声データが記録されている領域のメモリ上の先頭アドレスを取得することが可能となっている。チェックサム３４０には、映像データの記録時に計算したデータ全体のチェックサム値が格納されており、映像データの読み出し時に再計算することでデータの整合が判定できるようになっている。
【００２３】
映像データが正しく再生可能であるか否かは、このようなフォーマットにおける異常の有無によって判定することが可能である。本実施形態では、例えば、各種オフセット部に動画データと音声データの先頭データが存在するかを判定する手法と、チェックサム計算結果が正しいかを判定する手法と、ヘッダサイズが正しいかを判定する手法とを用いる。これらの手法を用いて、再生化可否判定部１０５は、映像データが所定のフォーマット通りに読み出されているか否かを判定する。ここで、フォーマットや判定方法は、一般的には様々なものが存在しているため、どの手法を利用してもよい。
【００２４】
映像データが正しく再生可能であると再生可否判定部１０５が判定した場合、映像データは、映像再生部１０６により再生処理が行われ、表示部１０７で表示される。一方、映像データの再生が不可能であると再生可否判定部１０５が判定した場合、保護映像判定部１０８は、その映像データがロック状態に設定されているために正常に読み出せていないか否かを判定する。
【００２５】
ここで、記録媒体がセキュリティモードに設定されている場合は、データの書き込みは可能であるが、保存されたデータの読み出しについて、一部制限がかかる。セキュリティカードは、セキュリティモードが設定されたロック状態の場合、電源をオンにしてからオフになるまでに記録したデータの読み出しは可能であるが、電源をオンにする前に既にセキュリティカードに保存されていたデータを読み出すことができない。具体的には、セキュリティカードでは、データを読み出すという処理は可能であるが、セキュリティカードのコントローラの制御により、記録媒体のデータ記録領域に記録されたデータは、全て、０ｘＦＦというデータで読み出される。セキュリティカード（記録媒体）は、データ記録領域と管理情報記録領域とを有している。記録媒体において読み出しが制限された画像コンテンツについては、データ記録領域のデータは０ｘＦＦで読み出されるが、管理情報記録領域に記録されたシステム情報（ＦＡＴ、ディレクトリエントリ等）は、通常通り、読み出すことができる。すなわち、セキュリティカードは、ロックされた状態でも、セキュリティカードに記録されているファイルに関する情報（ファイル名、ファイルの属性、ファイルサイズ、更新日付、作成日、またはデータの記録位置等）を読み出すことはできる。読み出し制限されている、つまり、ロック状態に設定された映像データを読み出す際、前述したように、０ｘＦＦというデータで読み出されるため、正しく映像データを読み出すことができない。本実施形態の記録媒体では、ロック状態に設定された映像データを読み出すと、すべて０ｘＦＦのデータが読み出されるものとしたが、すべて０ｘ００のデータが読み出される記録媒体においても本発明は適応可能である。また、例えば、ロック状態に設定された映像データにおいて、０ｘ５５と０ｘＡＡの固定パターンのデータが繰り返し読み出されるような記録媒体においても本発明は適応可能である。
【００２６】
そこで、本実施形態では、保護映像判定部１０８は、例えば下記の（１）〜（２）に示す判定条件に基づいて、再生可否判定部１０５により再生が不可能であると判定された映像データが、ロック状態に設定された映像データであるか否かを判定する。
（１）すべて０ｘＦＦや０ｘ００のように同一のデータが一定量以上連続で読み出される。
（２）０ｘ５５と０ｘＡＡとが交互に連続するパターンのように固定パターンのデータが一定量以上繰り返し読み出される。
これらのパターンのいずれかに当てはまる場合、保護映像判定部４０８は、ロック状態に設定されているために、正常に読み出すことができなかったロック対象の映像データであると判定する。
【００２７】
再生が不可能であると判定された映像データがロック対象の映像データであると判定された場合、映像の再生は行わず、再生装置１００では、ロック対象の映像データ数のカウントが開始される。そして、カウント開始後、正しく再生可能であると判定された映像データが読み出された時に、複数の映像データの所定の順序において連続するロック対象の映像データ数のカウントが停止される。代替映像生成部１０９は、カウントされた映像データ数に基づいて、ロック対象の映像データ数（ロック件数）を表示できる代替データを生成する。映像再生部１０６ではロック件数を表示できる代替データを再生した後、続いて、正しく再生可能であると判定された映像データを再生する。
【００２８】
例えば、図２（Ａ）に示した読み出し映像群２００の場合、ロック１〜ロック９の映像データが連続してロック対象の映像データであると判定され、その間映像データの再生はされない。映像２の映像データが読み出された時に、再生装置１００では、ロック対象の映像データ数のカウントを止め、代替映像生成部１０９が、代替映像２０２として例示したように、ロック対象の映像データ数（ロック件数）を表示できる代替データを生成する。映像再生部１０６ではロック件数を表示できる代替データを再生した後、映像２を再生する。その後も、再生装置１００は、連続再生の動作を続け、図２（Ｂ）に再生イメージ２０１として示したように、順次映像３を再生し、次に破壊データの読み出しをするところで、連続再生の動作を停止させる。
【００２９】
次に、図４を参照して、第１の実施形態における再生装置１００の動作について説明する。図４は、第１の実施形態における再生装置１００での映像データの連続再生処理の例を示すフローチャートである。
【００３０】
連続再生処理を開始すると、ステップＳ４０１で、再生装置１００は、ロック対象の映像データの数（ロック件数）を示すロックカウンタ変数を０に初期化する。ステップＳ４０２で、再生装置１００は、記録媒体１０１から次に再生する映像データを検索する。次に、ステップＳ４０３で、再生装置１００は、次に再生する映像データがあるか否かを判定する。判定の結果、次に再生する映像データがあると判定した場合（ＹＥＳ）、処理はステップＳ４０４へ進み、次に再生する映像データがないと判定した場合（ＮＯ）、連続再生処理を終了する。
【００３１】
ステップＳ４０４で、再生装置１００の再生可否判定部１０５は、前述したようにして映像データが正しく再生可能な映像データであるか否かを判定する。映像データの再生が不可能であると再生可否判定部１０５が判定した場合（ＮＯ）、処理はステップＳ４０５へ進み、映像データの再生が可能であると再生可否判定部１０５が判定した場合（ＹＥＳ）、処理はステップＳ４０７へ進む。
【００３２】
ステップＳ４０５で、再生装置１００の保護映像判定部１０８は、前述したようにして映像データがロック対象の映像データであるか否かを判定する。映像データがロック対象の映像データであると保護映像判定部１０８が判定した場合（ＹＥＳ）、処理はステップＳ４０６へ進む。一方、映像データがロック対象の映像データではないと保護映像判定部１０８が判定した場合（ＮＯ）、破壊された映像データとみなして、連続再生処理を終了する。
【００３３】
ステップＳ４０６で、再生装置１００は、ロックカウンタ変数を１つインクリメントし、処理はステップＳ４０２へ戻る。
【００３４】
ステップＳ４０４において映像データが再生可能である判定された場合に進むステップＳ４０７で、再生装置１００は、ロックカウンタ変数の値を確認する。ロックカウンタ変数の値が０である場合（ＹＥＳ）、処理はステップＳ４０８へ進み、ロックカウンタ変数の値が０でない場合（ＮＯ）、処理はステップＳ４１０へ進む。
【００３５】
ステップＳ４０８で、再生装置１００は、再生可能である判定した映像データを読み出して復号化を行い、ステップＳ４０９で映像表示を行う。その後、処理はステップＳ４０２へ戻る。
【００３６】
ステップＳ４０７においてロックカウンタ変数が０でない場合に進むステップＳ４１０で、再生装置１００の代替映像生成部１０９は、ロックカウンタ変数の値をロック件数として表示した固定映像データ（例えば、代替映像２０２の映像データ）を生成する。その後、ステップＳ４１１で、再生装置１００は、ロックカウンタ変数を０に初期化する。
【００３７】
次に、ステップＳ４１２で、再生装置１００は、ステップＳ４１０において生成されたロック件数を表示した固定映像データを読み出し、ステップＳ４１３で、その映像表示を行う。ステップＳ４１３においてロック件数を表示した固定映像データの映像表示を行った後、処理はステップＳ４０８へ進み、再生装置１００は、ステップＳ４０２において検索した再生対象の映像データを読み出し、ステップＳ４０９で映像表示を行う。その後、処理はステップＳ４０２へ戻る。
【００３８】
第１の実施形態によれば、記録媒体１０１から映像データを正常に読み出せなかった場合、ロック対象の映像データであるのか、破壊されたデータであるのかを判別して映像データの再生方法を切り替えることができる。これにより、複数の映像データを連続して再生する際、ロック状態に設定されたことで正常に読み出せない映像データである場合には映像データの連続再生を継続させ、破壊された映像データである場合には映像データの連続再生を停止させることが可能となる。
【００３９】
（第２の実施形態）
次に、本発明の第２の実施形態について説明する。
第２の実施形態における再生装置１００の構成は、図１に示した第１の実施形態における再生装置１００と同様であるので、説明は省略する。第２の実施形態では、再生装置１００は、映像データを連続再生する際、最初に再生する映像データがロック対象の映像データである場合、再生可能な映像データを読み込むまでは再生を行わないようにする。
【００４０】
例えば、図５（Ａ）に示すような読み出し映像群５００の映像データが記録媒体１００に記録されているとする。読み出し映像群５００には、正常に読み出すことが可能な映像データである映像１〜４が含まれている。また、読み出し映像群５００には、ロック対象となり読み出すことができない映像データであるロック１〜１０、データフォーマットの破壊等により正常に読み出すことができない破壊されたデータ（破壊データ）が含まれている。映像データは、図５（Ａ）において矢印で示すように、ロック１、ロック２、ロック３、ロック４、ロック５、ロック６、ロック７、ロック８、ロック９、ロック１０、映像１、映像２、破壊データ、映像３、映像４の順で読み出しが行われるものとする。
【００４１】
このとき、再生装置１００は、ロック１から連続再生の処理を行うと、ロック１〜１０と破壊データについては、正常な映像データを読み出すことができない。第１の実施形態では、保護映像判定部１０８によりロック１〜１０の映像データはロック対象の映像データとみなされ、ロック件数を表示する映像データが再生される。以下に説明する第２の実施形態では、連続再生の開始がロック対象の映像データである場合、図５（Ｂ）に例示した再生イメージ５０１のように、ロック件数を表示する映像５０２の映像データは再生しない。この例では、最初に再生可能な映像１の映像データを再生する。その後も、再生装置１００は、連続再生を続け、順次映像２を再生し、次に破壊データの読み出しをするところで、連続再生の動作を停止させる。
【００４２】
次に、図６を参照して、第２の実施形態における再生装置１００の動作について説明する。図６は、第２の実施形態における再生装置１００での映像データの連続再生処理の例を示すフローチャートである。
【００４３】
連続再生処理を開始すると、ステップＳ６０１で、再生装置１００は、ロック対象の映像データの件数（ロック件数）を示すロックカウンタ変数と、連続再生処理を開始してから実際に再生した映像データの件数を示す再生カウンタ変数を０に初期化する。ステップＳ６０２で、再生装置１００は、記録媒体１０１から次に再生する映像データを検索する。ステップＳ６０３で、再生装置１００は、次に再生する映像データがあるか否かを判定する。判定の結果、次に再生する映像データがあると判定した場合（ＹＥＳ）、処理はステップＳ６０４へ進み、次に再生する映像データがないと判定した場合（ＮＯ）、連続再生処理を終了する。
【００４４】
ステップＳ６０４で、再生装置１００の再生可否判定部１０５は、前述したようにして映像データが正しく再生可能な映像データであるか否かを判定する。映像データの再生が不可能であると再生可否判定部１０５が判定した場合（ＮＯ）、処理はステップＳ６０５へ進み、映像データの再生が可能であると再生可否判定部１０５が判定した場合（ＹＥＳ）、処理はステップＳ６０７へ進む。
【００４５】
ステップＳ６０５で、再生装置１００の保護映像判定部１０８は、前述したようにして映像データがロック対象の映像データであるか否かを判定する。映像データがロック対象の映像データであると保護映像判定部１０８が判定した場合（ＹＥＳ）、処理はステップＳ６０６へ進む。一方、映像データがロック対象の映像データではないと保護映像判定部１０８が判定した場合（ＮＯ）、破壊された映像データとみなして、連続再生処理を終了する。
【００４６】
ステップＳ６０６で、再生装置１００は、ロックカウンタ変数を１つインクリメントし、処理はステップＳ６０２へ戻る。
【００４７】
ステップＳ６０４において映像データが再生可能である判定された場合に進むステップＳ６０７で、再生装置１００は、ロックカウンタ変数の値を確認する。ロックカウンタ変数の値が０である場合（ＹＥＳ）、処理はステップＳ６０８へ進み、ロックカウンタ変数の値が０でない場合（ＮＯ）、処理はステップＳ６１１へ進む。
【００４８】
ステップＳ６０８で、再生装置１００は、再生可能である判定した映像データを読み出して復号化を行う。その後、ステップＳ６０９で、再生装置１００は、再生カウンタ変数を１つインクリメントし、ロックカウンタ変数を０に初期化する。続いて、ステップＳ６１０で、再生装置１００は、読み出した映像データの映像表示を行い、処理はステップＳ６０２へ戻る。
【００４９】
ステップＳ６０７においてロックカウンタ変数が０でない場合に進むステップＳ６１１で、再生装置１００は、再生カウンタ変数の値を確認する。再生カウンタ変数の値が０である場合（ＹＥＳ）、連続再生処理で最初に再生する映像データがロック対象の映像データであるとみなし、ロック件数を表示せずに、前述したステップＳ６０８以降の処理を行う。再生カウンタ変数の値が０でない場合（ＮＯ）、処理はステップＳ６１２へ進む。
【００５０】
ステップＳ６１２で、再生装置１００の代替映像生成部１０９は、ロックカウンタ変数の値をロック件数として表示した固定映像データを生成する。その後、ステップＳ６１３で、再生装置１００は、ロックカウンタ変数を０に初期化する。
【００５１】
次に、ステップＳ６１４で、再生装置１００は、ステップＳ６１２において生成されたロック件数を表示した固定映像データを読み出し、ステップＳ６１５で、その映像表示を行う。ステップＳ６１５においてロック件数を表示した固定映像データの映像表示を行った後、前述したステップＳ６０８以降の処理を行う。
【００５２】
第２の実施形態によれば、第１の実施形態と同様に、映像データを連続再生する際、ロック状態に設定されたことで正常に読み出せない映像データである場合には連続再生を継続し、破壊された映像データである場合には連続再生を停止することが可能となる。
【００５３】
（本発明の他の実施形態）
本発明は、前述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００５４】
例えば、第１及び第２の実施形態に示した再生装置は、図７に示すようなコンピュータ機能を有し、そのＣＰＵ７０１により第１及び第２の実施形態での動作が実施される。図７は、本実施形態における再生装置を実現可能なコンピュータ機能の構成例を示す図である。内部バス２００に対して、ＣＰＵ（Ｃｅｎｔｒａｌ  Ｐｒｏｃｅｓｓｉｎｇ  Ｕｎｉｔ）７０１、記憶部７０２、ＲＡＭ（Ｒａｎｄｏｍ  Ａｃｃｅｓｓ  Ｍｅｍｏｒｙ）７０３、表示制御部７０４、入力部７０５、及びメディアスロット７０６が接続される。内部バス７００に接続される各部は、内部バス７００を介して互いにデータの入出力ができるように構成されている。
【００５５】
ＣＰＵ７０１は、再生装置１００の各部を制御する。記憶部７０２は、ＣＰＵ７０１が動作するための各種プログラムやデータ等が格納される。ＣＰＵ７０１は、例えばＲＡＭ７０３をワークメモリとして用いて、記憶部７０２に格納されるプログラムに従って処理を実行することで、各種処理を実行する。例えば、ＣＰＵ７０１は、プログラムに従って処理を実行することで、上述のフローチャートの処理や、各種機能が実現される。
【００５６】
表示制御部７０４は、ディスプレイ７０８に対して映像や各種情報等を表示させるための表示信号を出力する。例えば、ＣＰＵ７０１がプログラムに従って生成した表示制御信号を表示制御部７０４に供給し、表示制御部７０４は、この表示制御信号に基づいて表示信号を生成しディスプレイ７０８に出力する。例えば、表示制御部７０４は、ＣＰＵ７０１が生成する表示制御信号に基づいて、記録媒体７０７等から読み出した映像データを複合化した映像をディスプレイ７０８に表示させる。
【００５７】
入力部７０５は、ユーザー操作を受け付け、操作に応じた制御信号を生成してＣＰＵ７０１に供給する。例えば、入力部７０５は、ユーザー操作を受け付ける入力手段として、電子ダイヤルやタッチパネル等を有する。ＣＰＵ７０１は、ユーザー操作に応じて入力部７０５で生成される制御信号に基づき、プログラムに従い再生装置１００の各部を制御する。メディアスロット７０６は、記録媒体７０７が装着可能とされ、ＣＰＵ７０１の制御に基づいて、装着された記録媒体７０７からのデータの読み出しや、記録媒体７０７に対するデータの書き込みを行う。
【００５８】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５９】
１００：再生装置  １０１：記録媒体  １０２：ドライブユニット  １０３：読出制御部  １０４：メモリ  １０５：再生可否判定部  １０６：映像再生部  １０７：表示部  １０８：保護映像判定部  １０９：代替映像生成部
【図１】
2020191588.tif 000003
【図２】
2020191588.tif 000004
【図３】
2020191588.tif 000005
【図４】
2020191588.tif 000006
【図５】
2020191588.tif 000007
【図６】
2020191588.tif 000008
【図７】
2020191588.tif 000009